(57)【特許請求の範囲】
【請求項１】
一側が開口とされた外筐ケース内に継電器本体が収納され、前記開口が閉塞されると共に、複数個の端子片が外部に導出されてなる電磁継電器において、
前記複数個の端子片の全ては、それぞれ、前記外部に導出される部分は平板であると共に、前記平板の板面方向が、前記外筐ケースの前記閉塞された面および前記外筐ケースの前記閉塞された面に対して交差する側面に垂直であり、かつ、外部の端子と嵌合するように前記側面よりも外側に突出するように設けられている
ことを特徴とする電磁継電器。
【請求項２】
請求項１において、
前記複数個の端子片は、前記外筐ケースの前記閉塞された面に対して交差する側面であって、互いに対向する２つの側面から外側に突出するように設けられている
ことを特徴とする電磁継電器。
【請求項３】
電磁継電器の端子片を、外部端子に結合する方法において、
前記電磁継電器は、
一側が開口とされた外筐ケース内に継電器本体が収納され、前記開口が閉塞されると共に、複数個の端子片が外部に導出されてなる電磁継電器であって、前記複数個の端子片の全ては、それぞれ、前記外部に導出される部分は平板であると共に、前記平板の板面方向が、前記外筐ケースの前記閉塞された面および前記外筐ケースの前記閉塞された面に対して交差する側面に垂直であり、かつ、外部の端子と勘合するように前記側面よりも外側に突出するように設けられているものを用い、
前記外部端子は、前記電磁継電器の前記端子片の、前記外筐ケースの前記側面よりも外側に突出する部分において結合する
ことを特徴とする電磁継電器と外部端子との接続方法。
【請求項４】
請求項３において、
前記外部端子は、前記電磁継電器の前記外筐ケースの前記閉塞面側とは反対側から、前記端子片の前記外筐ケースの前記側面よりも外側に突出する部分に結合する
ことを特徴とする電磁継電器と外部端子との接続方法。
【発明の詳細な説明】
【０００１】
【発明の属する技術分野】
この発明は、例えば電力制御用として好適な電磁継電器および電磁継電器と外部端子との接続方法に関する。
【０００２】
【従来の技術】
電磁継電器は、電磁石により駆動される可動子（接極子）に可動接点が設けられ、この可動接点が常閉固定接点（ブレイク接点）と、常開固定接点（メイク接点）とに、前記電磁石の駆動に応じて切り換えられるものである。
【０００３】
この電磁継電器からは、それぞれ導電体材料からなる複数個の端子片が導出される。すなわち、電磁石を構成するコイルの一端および他端がそれぞれ接続される２個のコイル端子片と、可動接点が接続される可動接点端子片と、常閉固定接点が接続される常閉固定接点端子片と、常開固定接点が接続される常開固定接点端子片とが、通常、外部に導出される。
【０００４】
図６は、従来のこの種の電磁継電器１０の外観を示すものである。図６（Ａ）は、その上面図、図６（Ｂ）はその正面図、図６（Ｃ）はその右側面図、図６（Ｄ）はその底面図である。
【０００５】
この電磁継電器においては、電磁石、可動接点部材、常閉固定接点部材、常開固定接点部材などからなる継電器本体（図示は省略）が、直方体形状で、その一面が開口部となっている外筐ケース１の、開口部から図６（Ｂ），（Ｃ）において矢印方向（以下、この方向に沿う方向を電磁継電器の高さ方向という）から挿入されて収納されている。そして、外筐ケース１の開口部は、例えば端子板２により封止される。なお、端子板２は、外筐ケース１内に入り、別の蓋体などにより、外筐ケース１の開口部が閉塞される場合もある。
【０００６】
図６の例の場合には、端子板２を貫通して、上述した２個のコイル端子片３、４、可動接点端子片５、常閉固定接点端子片６、常開固定接点端子片７が、端子板２に垂直な方向に延長されて導出される。すなわち、外部端子との結合部分となる端子片３〜７の先端は、端子板２に垂直な方向の延長上にある。
【０００７】
この電磁継電器を、電子回路または電気回路に接続する場合には、端子片３〜７と、外部端子と結合するようにする。外部端子との結合に当っては、ソケットを用いたり、溶接したり、かしめたり、半田付けする方法があった。
【０００８】
この場合に、例えば、電磁継電器の端子片と外部端子との結合にソケットを用いる場合には、以下のようになる。まず、例えば図７に示すようなソケット１１が使用される。この場合、ソケット１１には、電磁継電器１０の各端子片３〜７が挿入嵌合される挿入孔１３〜１７が設けられる。そして、電磁継電器１０の各端子片３〜７が、ソケットの挿入孔１３〜１７に、圧入挿入されて、外部端子に電磁継電器１０が接続される。
【０００９】
また、プリント基板上に電磁継電器が接続される場合には、例えばプリント基板に各端子片３〜７に応じた貫通孔が設けられ、その貫通孔を通じて各端子片が挿入され、半田付けされることにより、プリント基板に電磁継電器が接続される。
【００１０】
【発明が解決しようとする課題】
以上のように、従来の電磁継電器は、その端子片が、端子板に垂直な方向、つまり電磁継電器の高さ方向に突出延長するように設けられているため、例えばソケットを用いて外部端子に接続する場合には、結合部の高さは、（電磁継電器の高さ分）＋（ソケットの高さ）となり、高さ方向の設置スペースが大きくなる問題がある。
【００１１】
また、外部端子と電磁継電器の端子片とを溶接やかしめにより接続する場合においても、端子片が電磁継電器の高さ方向に突出延長するように設けられているため、作業が容易でないという問題もある。
【００１２】
この発明は、以上の点にかんがみ、高さ方向のスペースを大きく取ることなく外部端子に接続することができ、また、溶接やかしめの作業も容易にできるようにした電磁継電器および電磁継電器と外部端子との接続方法を提供することを目的とする。
【００１３】
【課題を解決するための手段】
上記課題を解決するため、この発明による電磁継電器は、
一側が開口とされた外筐ケース内に継電器本体が収納され、前記開口が閉塞されると共に、複数個の端子片が外部に導出されてなる電磁継電器において、
前記複数個の端子片の全ては、それぞれ、前記外部に導出される部分は平板であると共に、前記平板の板面方向が、前記外筐ケースの前記閉塞された面および前記外筐ケースの前記閉塞された面に対して交差する側面に垂直であり、かつ、外部の端子と勘合するように前記側面よりも外側に突出するように設けられている
ことを特徴とする。
【００１４】
また、この発明による電磁継電器と外部端子との接続方法は、
電磁継電器の端子片を、外部端子に結合する方法において、
前記電磁継電器は、
一側が開口とされた外筐ケース内に継電器本体が収納され、前記開口が閉塞されると共に、複数個の端子片が外部に導出されてなる電磁継電器であって、前記複数個の端子片の全ては、それぞれ、前記外部に導出される部分は平板であると共に、前記平板の板面方向が、前記外筐ケースの前記閉塞された面および前記外筐ケースの前記閉塞された面に対して交差する側面に垂直であり、かつ、外部の端子と勘合するように前記側面よりも外側に突出するように設けられているものを用い、
前記外部端子は、前記電磁継電器の前記端子片の、前記外筐ケースの前記側面よりも外側に突出する部分において結合する
ことを特徴とする。
【００１５】
【作用】
上述の構成のこの発明による電磁継電器によれば、複数個の端子片の外部に導出される平板部分の全ては、それぞれ、外部の端子と勘合するように外筐ケースの側面よりも外側に突出し、しかも、その平板部分の板面方向が、電磁継電器の外筐ケースの高さ方向に一致している。
【００１６】
したがって、この発明による電磁継電器と外部端子との接続方法のように、外部端子は、電磁継電器の端子片の、前記外筐ケースの前記端子板面と交差する側面よりも外側に突出する部分において端子片と結合する場合に、端子片の平板部分を嵌合溝に圧入したり、基板に植立したバスバーに端子片を溶接したりすることで結合ができ、結合作業が容易になる。
【００１７】
そして、外部端子は、電磁継電器の外筐ケースの閉塞面側とは反対側から、端子片の外筐ケースの側面よりも外側に突出する部分に結合することができるので、外部端子と端子片との結合部分を電磁継電器の高さ内に納めることができ、電磁継電器の高さスペースを有効に利用することができる。
【００１８】
また、外部端子と電磁継電器の端子片との結合部が電磁継電器の外筐ケースの側面側になるので、外部端子と電磁継電器の端子片とを、溶接したり、かしめにより結合する場合にも、作業が容易になる。
【００１９】
【発明の実施の形態】
以下、この発明による電磁継電器の実施の形態および電磁継電器と外部端子との接続方法の実施の形態を、図を参照しながら説明する。
【００２０】
図１は、この実施の形態の電磁継電器２０の外観を示すもので、図１（Ａ）は、この実施の形態の電磁継電器２０を高さ方向の上から見た図（上面図）、図１（Ｂ）は、正面から見た図（正面図）、図１（Ｃ）は左側面図、図１（Ｄ）は端子板面側から見た図（底面図）である。
【００２１】
この実施の形態の電磁継電器２０も、電磁石、可動接点部材、常閉固定接点部材、常開固定接点部材などからなる継電器本体（図１では図示は省略）が、直方体形状でその一面側が開口部となっている外筐ケース２１の、前記開口部から図１（Ｂ）および（Ｃ）において矢印方向（以下、この方向に沿う方向を電磁継電器の高さ方向という）から挿入されて収納されている。そして、この例の場合には、外筐ケース２１の開口部は、絶縁体材料からなる端子板２２により閉塞される。なお、端子板２２は、外筐ケース２１内に入り、別の蓋体などにより、外筐ケース２１の開口部が閉塞される場合もある。
【００２２】
この実施の形態の電磁継電器２０では、端子板２２を貫通して、それぞれ導電体材料からなる複数個の端子片、この例では、２個のコイル端子片２３、２４と、可動接点端子片２５と、常閉固定接点端子片２６と、常開固定接点端子片２７とが、端子板２２より外部に導出される。
【００２３】
この場合に、各端子片２３〜２７の外部導出部分は、平板の導電性板で構成されていると共に、図１（Ｃ）に明示するように、Ｌ字型に構成され、そのＬ字の先端部が外筐ケース２１の側面２８、２９よりも外側に突出するように構成されている。
【００２４】
すなわち、各端子片２３〜２７の平板の外部導出部分は、前記平板の板面方向が、端子板２２面および側面２８、２９に対して垂直になるようにされていると共に、その平板が外筐ケース２１の側面２８、２９端子板２２面に沿う方向にＬ字状に屈曲した形状とされている。そして、各端子片２３〜２７の平板の外部導出部分の端子板２２面に沿う方向の長さが、外筐ケース２１の側面２８よりも外側に突出する長さとされる。したがって、外筐ケース２１の側面２８よりも外側に突出する端子片の平板面の方向は、電磁継電器２０の高さ方向に一致する。
【００２５】
そして、この例の場合、端子片２４および２７は、図１において、正面側の側面２８よりも突出して張り出すように設けられ、端子片２３、２５、２６は、その逆側の側面２９よりも突出して張り出すように設けられる。
【００２６】
この場合、各端子片２３〜２７の外筐ケース２１の側面２８または側面２９よりも突出する長さＬは、後述するように、外筐ケース２１に沿って電磁継電器２０の高さ方向の上面側から外部端子を端子片２３〜２７に結合したときに、側面２８および２９と外部端子との間に、適当な空間を確保することができるような長さに選定される。
【００２７】
この実施の形態の電磁継電器２０は、以上のような構成を備えるので、電磁継電器の高さスペースを有効に利用して、電磁継電器の端子片２３〜２７と外部端子との結合を行なうことができる。
【００２８】
図２は、図１に示した電磁継電器２０の構造の一例を示す図である。図２は、電磁継電器２０を各部品に分解して示したものである。
【００２９】
図２の電磁継電器２０の各部品は、端子板２２上に組み立てられ、外筐ケース２１が端子板２２に組み合わされることにより、組み立てられた部品が覆われる構成とされる。すなわち、外筐ケース２１は、図２における底面側が開口とされた直方体形状とされており、端子板２２により、外筐２１の開口が閉塞するようにされるものである。
【００３０】
この場合、端子板２２には、端子片２３〜２７を外部に導出するための溝２２ａ〜２２ｅが形成されている。
【００３１】
図２において、３１は電磁石組立であり、Ｌ字型の継鉄３２とＩ型の継鉄３３によって鉄心入りのコイル３４を保持する構造を有している。そして、この電磁石組立３１には、コイル端子片２３、２４を取り付けるための嵌合溝３５、３５（コイル端子片２４用の嵌合溝３５は図示されていない）が設けられており、その嵌合溝３５に対してコイル端子片２３およびコイル端子片２４が嵌合されて取り付けられる。そして、コイル３４の一端および他端が、それぞれコイル端子片２３およびコイル端子片２４に接続される。
【００３２】
コイル端子片２３および２４は、端子板２２のコイル端子導出用貫通溝２２ａ，２２ｂを貫通して、Ｌ字型平板部分が外部に導出される。
【００３３】
常開固定接点端子片２６は、図２のようなＬ字型の導電体材料からなる板状体により構成され、端子片２６の外部に導出される側とは反対側には、常開固定接点２６１が設けられている。また、常開固定接点端子片２６は、電磁石組立３１に圧入される突部２６２を備える。そして、常開固定接点端子片２６は、電磁石組立３１に対して、その突部２６２が圧入されると共に、電磁石組立３１に設けられている嵌合溝３６に常開固定接点２６１が設けられている板部が挿入されることにより、取り付けられる。そして、常開固定接点端子片２６は、端子板２２の端子導出用貫通溝２２ｄを貫通して、そのＬ字型平板部分が外部に導出される。
【００３４】
常閉固定接点端子片２７も、図２のようなＬ字型の導電体材料からなる板状体により構成され、端子片２７の外部に導出される側とは反対側には、常閉固定接点２７１が設けられている。また、常閉固定接点端子片２７は、電磁石組立３１に圧入される突部２７２を備える。そして、常閉固定接点端子片２７は、電磁石組立３１に対して、その突部２７２が圧入されると共に、電磁石組立３１に設けられている嵌合溝３７に常閉固定接点２７１が設けられている板部が挿入されることにより、取り付けられる。そして、常開固定接点端子片２７は、端子板２２の端子導出用貫通溝２２ｅを貫通して、そのＬ字型平板部分が外部に導出される。
【００３５】
この場合、以上のように組み立てることにより、常閉固定接点２７１と、常開固定接点２６１とは所定のギャップ長だけ離れて、電磁石組立３１に取り付けられるものである。なお、挿入溝３７は、挿入溝３６に対して、常開固定接点２６と常閉接点２７との間の距離分だけの高さを備えるように構成されている。
【００３６】
４１は、導電体材料からなる可動子である。この可動子４１の先端には可動接点４１１が形成されている。この例では、これら可動子４１には磁性材からなる接極子板４２が取り付けられている。さらに、可動子４１は、導電体材料からなるばね部材４３に取り付けられて接極子組立が構成されている。
【００３７】
そして、この接極子組立は、可動接点端子片２５を間に挟んで、電磁石組立３１のヨーク３２に、例えばかしめなどにより取り付けられる。このとき、コイル３４に電流が流れていない状態においては、可動接点４１１が、常閉接点２７に接触すると共に、常開接点２６と所定のギャップ長分だけ離れるようにされる。また、コイル３４に電流が流れると、接極子板４２が電磁石に吸引されて、可動接点４１１が常開固定接点２６に接触するように駆動される。
【００３８】
そして、可動接点端子片２５は、端子板２２の端子導出用貫通溝２２ｃを貫通して、そのＬ字型平板部分が外部に導出される。
【００３９】
図３（Ａ）〜図３（Ｄ）は、電磁継電器２０と外部端子との接続方法の第１の実施の形態を説明するための図である。この第１の実施の形態の接続方法においては、電磁継電器２０の各端子片２３〜２７のそれぞれを、外部端子に圧入挿入することにより、電磁継電器２０の各端子片２３〜２７のそれぞれと、外部端子とを結合する。
【００４０】
図３（Ａ）は、外部端子との接続前の状態を正面から見た図、図３（Ｂ）は、それを側面から見た図である。また、図３（Ｃ）は、外部端子と電磁継電器２０の各端子片２３〜２７を接続した状態を正面から見た図、図３（Ｂ）は、それを側面から見た図である。
【００４１】
この第１の実施の形態の接続方法においては、リード線５１の先端に接続された導体からなる外部端子（メス端子）５２の複数個が、電磁継電器２０の各端子片２３〜２７のそれぞれと対応する位置に、図示を省略した部材により固定されて設けられている。
【００４２】
この場合、外部端子５２は、図３（Ａ）に示すように、端子片２３〜２７の板厚ｔにほぼ等しい嵌合溝５３を備える。この例では、この嵌合溝５３は、端子片の挿入口となる上端部分では、端子片２３〜２７の板厚ｔよりも若干大きい幅を備えるが、嵌合溝５３の奥に進むにつれて板厚ｔよりも幅狭となるようにされており、全体として楔型に形成されている。そして、外部端子５２のそれぞれは、図３に示すように、嵌合溝５３の上端部分が上を向くように配置されている。
【００４３】
電磁継電器２０の各端子片２３〜２７と外部端子５２との結合に当っては、図３に示すように、電磁継電器２０は端子板２２の面を上に向け、電磁継電器２０の端子片２３〜２７の、外筐ケース２１の側面２８または２９から突出している先端部分を、外部端子５２の嵌合溝５３内に、嵌合させるようにして、圧入挿入する。この場合、各端子片２３〜２７の、嵌合溝５３に挿入される側のエッジは、面取りされて、圧入嵌合が容易に行われるように構成されている。
【００４４】
これにより、端子片２３〜２７は、外部端子５２の嵌合溝５３に圧入結合されて、電気的に接続される。
【００４５】
この場合、図３から明らかなように、電磁継電器２０の各端子片２３〜２７と外部端子５２との結合部は、電磁継電器２０の側面２８、２９側の、電磁継電器２０のほぼ高さスペースの範囲内となり、従来の電磁継電器のように、高さ方向に外部端子の高さ分が加わるようなことがないので、電磁継電器２０を外部端子に接続する場合に、電磁継電器２０の高さ方向のスペースが最小限で済むことになる。
【００４６】
なお、外部端子（メス端子）３２の嵌合溝５３の代りに、端子片が挿入されたときに端子片の平板を両側から弾性的に押圧して挟持するような構造とするようにすることもできる。
【００４７】
また、プリント基板に電磁継電器２０を取り付ける場合には、図３のような外部端子（メス端子）を予めプリント基板面に設けておき、電磁継電器２０を、図３の例とは反対に端子板２２側を下向きにして、端子片２３〜２７の、外筐ケース２１の側面２８または２９から突出している先端部分を、外部端子に圧入挿入するようにして取り付けることができる。
【００４８】
なお、以上の第１の実施の形態では、電磁継電器の端子片を、外部端子に圧入挿入する場合について説明したが、外部端子を電磁継電器の各端子片にかしめにより結合する場合においても、電磁継電器の外筐の側面において、かしめの作業を行なうことができるので、作業が容易になるものである。
【００４９】
次に、図４（Ａ）および図４（Ｂ）は、電磁継電器２０と外部端子との接続方法の第２の実施の形態を説明するための図である。この例は、電磁継電器２０を外部端子に取り付ける場合に、電磁継電器２０の各端子片２３〜２７を、これらの端子片２３〜２７の導出位置に対応する所定の位置に植立されたバスバーに、溶接するようにする場合の例である。
【００５０】
この例の場合には、図４（Ａ），（Ｂ）に示すように、この電磁継電器２０の側面２８および２９に沿い、かつ、前記側面２８および２９と所定の距離ｄだけ離れた位置となる位置であって、電磁継電器２０の各端子片２３〜２７の側面２８または２９から突出する先端部分と面接触するような位置には、各端子片２３〜２７と接続される平板の板状体からなるバスバー６１が、設けられる。
【００５１】
そして、図４（Ａ），（Ｂ）に示すように、電磁継電器２０は、端子板２２側が上を向いた状態で、その側面２８および２９の両側にバスバー６１が対向するように、２列のバスバー６１の間に配置される。そして、各端子片２３〜２７の側面２８、２９から突出している先端の板面とバスバー６１の面とを衝合させた状態で、溶接を行なうようにする。こうして、電磁継電器２０の端子片２３〜２７が、バスバー６１に接続されることにより、電磁継電器２０は、バスバー６１が接続されている外部端子に接続される。
【００５２】
この図４の例の接続方法によれば、溶接作業が容易になるというメリットがある。
【００５３】
なお、以上の例では、電磁継電器の端子片はＬ字型として、端子板から垂直方向に突出させた後に、電磁継電器の側面から突出させるようにしたが、端子片の形状や端子片の導出の方法は、この構造に限るものではない。
【００５４】
例えば、図５に示すように、端子板２２の厚さ方向の途中から、外筐ケース２１の側面２８または２９の一部にもかかるような状態で、端子片２３〜２７を、側面２８または２９から突出させるように構成することもできる。
【００５５】
また、端子片は、電磁継電器の外筐ケースの互いに対向する２側面２８、２９の両側から突出するように設けたが、複数個の端子片の全てを、側面２８、２９の一方の側面側のみ突出するように構成するようにしても良い。
【００５６】
【発明の効果】
以上説明したように、この発明によれば、高さ方向のスペースを大きく取ることなく外部端子に接続することができ、また、溶接やかしめの作業も容易にできるようにした電磁継電器および電磁継電器と外部端子との接続方法を提供することができる。
【図面の簡単な説明】
【図１】この発明による電磁継電器の実施の形態を説明するための図である。
【図２】この発明による電磁継電器の実施の形態の構造の例を説明するための分解図である
【図３】この発明による電磁継電器と外部端子との接続方法の第１の実施の形態を説明するための図である。
【図４】この発明による電磁継電器と外部端子との接続方法の第２の実施の形態を説明するための図である。
【図５】この発明による電磁継電器の他の実施の形態を説明するための図である。
【図６】従来の電磁継電器を説明するための図である。
【図７】従来の電磁継電器と外部端子との接続方法を説明するための図である。
【符号の説明】
２１  外筐ケース
２２  端子板
２３〜２７  端子片
２８、２９  外筐ケースの側面
５２  外部端子
【図１】
0004518528.tif 000002
【図２】
0004518528.tif 000003
【図３】
0004518528.tif 000004
【図４】
0004518528.tif 000005
【図５】
0004518528.tif 000006
【図６】
0004518528.tif 000007
【図７】
0004518528.tif 000008